(57)【要約】【課題】  本考案は、確実かつ強固にマーカを着脱自在に保持可能なゴルフ用マーカ、マーカ、マーカ用クリップを提供する。【解決手段】    本考案のゴルフ用マーカ１０は、周縁の一部にフック４が形成されているとともに、開口９ａを有する溝部５が形成されている第１の基体８、９を備えているマーカ用クリップ６と、当該溝部５と嵌合する突状体２ｂが設けられている第２の基体２ａを備えているマーカ２と、を具備し、前記第１、第２の基体８、９、２ａの一方が磁性体であり、かつ当該第１、第２の基体８、９、２ａの他方が当該磁性体と逆極性の磁性体又は金属体である。【選択図】      図１
0003110638.tif 000002
【実用新案登録請求の範囲】
【請求項１】
周縁の一部にフックが形成されているとともに、開口を有する溝部が形成されている第１の基体を備えているマーカ用クリップと、
当該溝部と嵌合する突状体が設けられている第２の基体を備えているマーカと、
を具備し、
前記第１、第２の基体の一方が磁性体であり、かつ当該第１、第２の基体の他方が当該磁性体と逆極性の磁性体又は金属体であることを特徴とするゴルフ用マーカ。
【請求項２】
前記第１の基体は、
周縁の一部にフックが一体的に形成されている第３の基体と、
当該第３の基体に重ねて配置され、周縁の一部に開口を有する溝部が形成されている第４の基体と、を備えており、
少なくとも第３、又は第４の基体が、当該磁性体、当該磁性体と逆極性の磁性体、又は金属体であることを特長とするゴルフ用マーカ。
【請求項３】
前記溝部は、Ｕ字状に形成されていることを特徴とする請求項１、又は２に記載のマーカ用クリップ。
【請求項４】
前記溝部の開口は、当該突状体の直径の幅よりも広いことを特徴とする請求項１乃至３に記載のマーカ用クリップ。
【請求項５】
前記溝部の開口は、当該突状体の直径の幅よりも狭いことを特徴とする請求項１乃至３に記載のマーカ用クリップ。
【請求項６】
請求項１に記載のゴルフ用マーカに用いられるマーカであって、
前記マーカは、
当該溝部と嵌合する突状体が設けられている第２の基体を備えていることを特徴とするゴルフ用マーカに用いられるマーカ。
【請求項７】
請求項１に記載のゴルフ用マーカに用いられるマーカ用クリップであって、
当該マーカ用クリップは、
周縁の一部にフックが形成されているとともに、開口を有する溝部が形成されている第１の基体を備えていることを特徴とするゴルフ用マーカに用いられるマーカ用クリップ。
【考案の詳細な説明】
【技術分野】
【０００１】
本考案は、グリーンに停止したゴルフボールの代わりに載置されるマーカ、及びマーカを着脱自在に保持するためのマーカ用クリップ、当該マーカとマーカ用クリップからなるゴルフ用マーカに関する。
【背景技術】
【０００２】
従来、マーカとして金属製で円盤状（コイン状）のものが使用されている。また、当該マーカを保持するものとして、帽子の鍔、衣服の襟、ズボンのバンドなどに取り付けられるクリップを備えた磁性体を有する楕円形状の板状のマーカ用クリップが使用されている。
【０００３】
また、当該マーカの一方の面は磁性体を有しており、当該マーカを当該マーカ用クリップの磁性体を有する板状部分に磁力で着脱可能に保持させた状態で、クリップにより帽子の鍔、衣服の襟、ズボンのバンドなどに取り付けられている。
【考案の開示】
【考案が解決しようとする課題】
【０００４】
しかし、マーカは、単に磁力でクリップに保持されているだけなので、プレイヤーが走ったり、また、何か物にマーカがこすれたりすると簡単にマーカ用クリップから脱落してしまうという問題がある。
【０００５】
そこで本考案は、確実かつ強固にマーカを保持するとともに、当該マーカを着脱可能なゴルフ用マーカ、マーカ、マーカ用クリップを提供することを目的とする。
【課題を解決するための手段】
【０００６】
以下、本考案について説明する。なお、本考案の理解を容易にするために添付図面の参照符号を括弧書きにて付記するが、それにより本考案が図示の形態に限定されるものではない。
【０００７】
請求項１に記載のゴルフ用マーカ（１０）は、周縁の一部にフック（４）が形成されているとともに、開口（９ａ）を有する溝部（５）が形成されている第１の基体（８、９）を備えているマーカ用クリップ（６）と、当該溝部と嵌合する突状体（２ｂ）が設けられている第２の基体（２ａ）を備えているマーカ（２）と、を具備し、前記第１、第２の基体の一方が磁性体であり、かつ当該第１、第２の基体の他方が当該磁性体と逆極性の磁性体又は金属体であることを特徴とする。
【０００８】
また、請求項６に記載のゴルフ用マーカに用いられるマーカは、請求項１に記載のゴルフ用マーカに用いられるマーカであって、前記マーカは、当該溝部と嵌合する突状体が設けられている第２の基体を備えていることを特徴とする。
【０００９】
また、請求項７に記載のゴルフ用マーカに用いられるマーカ用クリップは、請求項１に記載のゴルフ用マーカに用いられるマーカ用クリップであって、当該マーカ用クリップは、周縁の一部にフックが形成されているとともに、開口を有する溝部が形成されている第１の基体を備えていることを特徴とする。
【考案を実施するための最良の形態】
【００１０】
以下、本考案であるゴルフ用マーカに係る実施の形態について詳細に説明する。図１はゴルフ用マーカの外観を示し、図１（ａ）はゴルフ用マーカの構成図、図１（ｂ）は取付状態図、図２はマーカの断面図、図３はマーカ用クリップの外観を示し、図３（ａ）はマーカ用クリップの構成図、図３（ｂ）は取付状態図、図４は嵌合部の他の実施形態を示し、図４（ａ）は実施例１、図４（ｂ）は実施例２である。なお、以下の説明では図１の上下左右方向を便宜的にゴルフ用マーカの上下左右として表現する。
【００１１】
図１に示すように、本考案のゴルフ用マーカ１０は、円形状のマーカ２と、帽子の鍔、衣服の襟、ズボンのバンドなどに取り付けられるフック４が一体的に形成されているとともに、当該マーカ２の一部と嵌合し当該マーカ２を位置決めする嵌合部５を有するマーカ用クリップ６と、を備えている。また、マーカ２、マーカ用クリップ６の一方が磁性体を有しており、かつマーカ２、マーカ用クリップの他方が他の極性を有する磁性体又は金属体からなり、当該マーカ２はマーカ用クリップ６の上面に磁力により着脱自在に保持されている。
【００１２】
図１及び図２に示すように、マーカ２は、円形状であって板状の基体２ａと、当該基体２ａの径よりも小径の磁性体を有する突状体２ｂと、を備えている。当該突状体２ｂは、当該基体２ａの底面中央部から下方垂直方向に突設するように設けられ、当該基体２ａと一体的に形成されている。
【００１３】
なお、当該マーカ２の径Ｓ１は２５ｍｍ程度であり、突状体２ｂの径Ｓ２は１２ｍｍ程度である。また、基体２ａ及び突状体２ｂの厚さｔ１、ｔ２は、ともに１ｍｍ程度である。
【００１４】
図３に示すように、マーカ用クリップ６は、金属製であり、周縁の一部にフック４が一体的に形成されている横長楕円形状の第１の基体８と、当該第１の基体８の上面に重ねて配置され、周縁の一部に開口９ａを有する嵌合部５が形成されている当該第１の基体８と同形状の第２の基体９と、を備えている。当該第１の基体８と第２の基体９とは、接着剤などで接着されており、一体的に形成されている。また、当該嵌合部５には、マーカ２の突状体２ｂが嵌合する。
【００１５】
また、当該フック４は、周縁から当該第１の基体８の下面に折り曲げられて形成されている。
【００１６】
また、当該第２の基体９の嵌合部５は、径方向に略Ｕ字状に形成されている。好適には、当該嵌合部５の開口９ａは、マーカ２の突状体２ｂの直径Ｓ２の幅よりも狭く形成されている。このようにすれば、マーカ用クリップ６にマーカ２を装着する場合において、当該マーカ２の突状体２ｂが嵌合部５に嵌合されつつ、磁力によりマーカ２がマーカ用クリップ６の上面に保持されるので、マーカ２をマーカ用クリップ６に確実に保持でき、脱落しにくい構造にすることができる。
【００１７】
なお、第１及び第２の基体８、９の長径方向の長さｌは、３０ｍｍ程度であり、当該第１及び第２の基体８、９の厚さｔ３、ｔ４は、１ｍｍ程度である。
【００１８】
なお、本実施形態の第１の基体８と第２の基体９は、本願の第１の基体として機能し、本実施形態の基体２ａは、本願の第２の基体として機能する。また、本実施形態の嵌合部５は、本願の溝部として機能する。また、本実施形態の第１の基体８は、本願の第３の基体として機能し、本実施形態の第２の基体９は、本願の第４の基体として機能する。
【００１９】
次に、本考案のゴルフ用マーカの使用形態について説明する。なお、マーカ２とは、ゴルフ場において、ゴルフボールの代わりに芝上に載置さて使用されるものである。
【００２０】
図５に示すように、ゴルフ用マーカ１０は、ゴルファー３０が履いているゴルフシューズ３５の紐通しのへり部３６にマーカ用クリップ６の第２の基体９が上面となるようにフック４で取り付けて使用される。ゴルファー３０は、プレイ中はマーカ２をマーカ用クリップ６の嵌合部５に嵌合させつつ、磁力により当該マーカ２を当該マーカ用クリップ６に保持させておく。
【００２１】
ゴルファー３０がマーカ２を使用する場合には、ゴルファー３０の手で当該マーカ用クリップ６に保持されているマーカ２を嵌合部５から取り外す。また、マーカ２をマーカ用クリップ６に戻すときには、ゴルファー３０の手で、当該マーカ２の突状体２ｂをマーカ用クリップ６の嵌合部５に嵌合させることで磁力により当該マーカ２を当該マーカ用クリップ６に保持させておく。
【００２２】
このようにすれば、マーカ２がマーカ用クリップ６の嵌合部５との嵌合と磁力により当該マーカ用クリップ６に保持されるので、ゴルフのプレイ中に走ったりした場合でも、マーカ２がマーカ用クリップ６から簡単に脱落することがなく安心してプレイすることが可能となる。また、プレイ後において、マーカ２が何らかの物とこすれたりした場合でも、マーカ２がマーカ用クリップ６から簡単に脱落しないので脱落によるマーカ２の紛失を防止できる。
【００２３】
なお、当該ゴルフ用マーカ１０は、ゴルファーの帽子の鍔にマーカ用クリップ６の第２の基体９が上面となるようにフック４で取り付けて使用されるようにしても構わない。
【００２４】
また、図４（ａ）に示すように、ゴルフ用マーカ１０Ａにおける当該第２の基体９の嵌合部５の開口９ａは、マーカ２の突状体２ｂの直径Ｓ２の幅と略同等（少し幅広）に形成されていても構わない。さらに、図４（ｂ）に示すように、ゴルフ用マーカ１０Ａにおける当該第２の基体９の嵌合部５の開口９ａは、マーカ２の突状体２ｂの直径Ｓ２の幅よりも広く形成されていても構わない。このようにすれば、マーカ２をマーカ用クリップ６の嵌合部５に容易に取り付けることができるとともに、当該マーカ２をマーカ用クリップ６の所定の位置に容易に位置決めすることができる。また、当該マーカ２は、突状体２ｂが嵌合部５に嵌合されつつ、磁力によりマーカ用クリップ６の上面に保持されるので、マーカ２をマーカ用クリップ６に確実に保持でき、脱落しにくい構造にすることができる。
【００２５】
なお、本実施形態では、マーカ用クリップは第１の基体８と第２の基体９の２枚使用しているが、１枚の基体にフック４と嵌合部５（孔部）を形成するようにしても構わない。また、本実施形態では、マーカ２側が磁性体を有し、マーカ用クリップ６側が金属体であるが、マーカ２側とマーカ用クリップ６側とが異なる極性を有する磁性体を有するようにしてもよいし、マーカ２側が金属体であって、マーカ用クリップ６側が磁性体であっても構わない。要は、マーカ用クリップ６の嵌合部５にマーカ２の突状体２ｂが嵌合した時に、当該マーカ用クリップ６にマーカ２が磁力によって着脱可能にくっつけばよい。また、第１の基体８、第２の基体９、及びマーカ２の形状は、長円形、矩形、その他の多角形であってもよく、磁性体は、第２の基体９の全面であっても、第１の基体９の嵌合部５の位置に相当する部分のみであっても構わない。また、第１の基体８、第２の基体９、及びマーカ２の材質は、真鍮、亜鉛、若しくはアルミニウム製などが考えられるが、磨耗などによる外観の低下防止の観点から、真鍮製が有利である。さらにマーカ用クリップ６は、帽子の鍔以外に帽子の縁、衣服の襟、ズボンのバンドなどに取り付けるものであってもよく、これらの場合には、フック４は装着位置に適した構造になることは当然である。
【図面の簡単な説明】
【００２６】
【図１】本考案のゴルフ用マーカの外観を示し、図１（ａ）はゴルフ用マーカの構成図、図１（ｂ）は取付状態図である。
【図２】マーカの断面図である。
【図３】マーカ用クリップの外観を示し、図３（ａ）はマーカ用クリップの構成図、図３（ｂ）は取付状態図である。
【図４】嵌合部の他の実施形態を示し、図４（ａ）は実施例１、図４（ｂ）は実施例２である。
【図５】ゴルフ用マーカの使用形態を示す図である。
【符号の説明】
【００２７】
２  マーカ
２ａ  基体
２ｂ  突状体
４  フック
５  嵌合部
６  マーカ用クリップ
８  第１の基体
９  第２の基体
９ａ  開口
１０  ゴルフ用マーカ
【図１】
0003110638.tif 000003
【図２】
0003110638.tif 000004
【図３】
0003110638.tif 000005
【図４】
0003110638.tif 000006
【図５】
0003110638.tif 000007